(57)【要約】【課題】複合型の非接触ＩＣカードに対しても機能が低下する恐れがなく、製造が容易であり、かつ、デザインを施すことも容易である非接触ＩＣカード通信調整板を提供する。【解決手段】非接触ＩＣカード通信調整板１は、外部装置４０が発信する電磁波を利用して外部装置４０と非接触で通信することができる非接触ＩＣカード３０に重ね合わせて使用し、外部装置４０と非接触ＩＣカード３０との間の電磁波を遮断ないし減衰させるシールドシート１０と、シールドシート１０に積層され、外部装置４０と非接触ＩＣカード３０との間の電磁波が透過する磁性シート２０とを有し、磁性シート２０は、その周縁の一部からシールドシート１０が露出するように形成さている。【選択図】図１
2010123051.tif 000002
【特許請求の範囲】
【請求項１】
外部装置が発信する電磁波を利用して前記外部装置と非接触で通信することができる非接触ＩＣカードに重ね合わせて使用する、前記外部装置と前記非接触ＩＣカードとの通信状態を調整するための非接触ＩＣカード通信調整板において、
前記外部装置と前記非接触ＩＣカードとの間の前記電磁波を遮断ないし減衰させる、シールドシートと、前記シールドシートの片面または両面に積層され、前記外部装置と前記非接触ＩＣカードとの間の前記電磁波を透過させる磁性シートと、を備え、
前記シールドシートは、前記シールドシートを前記非接触ＩＣカードに重ね合わせた使用状態において前記非接触ＩＣカードの両側長辺に沿うシールドシート長辺部と前記非接触ＩＣカードの両側短辺に沿うシールドシート短辺部とを有するものであり、
前記磁性シートは、周縁が前記シールドシートのシールドシート長辺部およびシールドシート短辺部の少なくとも１つの辺部の辺縁に至り、該少なくとも１つの辺部の辺縁に至っている部分に少なくとも１つの切欠き部を形成したものである
ことを特徴とする非接触ＩＣカード通信調整板。
【請求項２】
外部装置が発信する電磁波を利用して前記外部装置と非接触で通信することができる非接触ＩＣカードに重ね合わせて使用する、前記外部装置と前記非接触ＩＣカードとの通信状態を調整するための非接触ＩＣカード通信調整板において、
前記外部装置と前記非接触ＩＣカードとの間の前記電磁波を遮断ないし減衰させる、シールドシートと、前記シールドシートの片面または両面に積層され、前記外部装置と前記非接触ＩＣカードとの間の前記電磁波を透過させる磁性シートと、を備え、
前記シールドシートは、前記シールドシートを前記非接触ＩＣカードに重ね合わせた使用状態において前記非接触ＩＣカードの両側長辺それぞれに沿うシールドシート長辺部と前記非接触ＩＣカードの両側短辺それぞれに沿うシールドシート短辺部とを有するものであり、
前記磁性シートは、前記シールドシートのシールドシート長辺部それぞれに沿う磁性シート長辺部および前記シールドシートのシールドシート短辺部それぞれに沿う磁性シート短辺部を有し、前記磁性シート長辺部および磁性シート短辺部の少なくとも１つの辺部が前記シールドシートの１つの辺部の辺縁に至り、該辺縁に至っている部分に少なくとも１つの切欠き部を形成したものである
ことを特徴とする非接触ＩＣカード通信調整板。
【請求項３】
外部装置が発信する電磁波を利用して前記外部装置と非接触で通信することができる非接触ＩＣカードに重ね合わせて使用する、前記外部装置と前記非接触ＩＣカードとの通信状態を調整するための非接触ＩＣカード通信調整板において、
前記外部装置と前記非接触ＩＣカードとの間の前記電磁波を遮断ないし減衰させる、シールドシートと、前記シールドシートの片面または両面に積層され、前記外部装置と前記非接触ＩＣカードとの間の前記電磁波を透過させる磁性シートと、を備え、
前記シールドシートは、前記シールドシートを前記非接触ＩＣカードに重ね合わせた使用状態において前記非接触ＩＣカードの両側長辺それぞれに沿うシールドシート長辺部と前記非接触ＩＣカードの両側短辺それぞれに沿うシールドシート短辺部とを有するものであり、
前記磁性シートは、前記シールドシートのシールドシート長辺部それぞれに沿う磁性シート長辺部および前記シールドシートのシールドシート短辺部それぞれに沿う磁性シート短辺部を有し、両側の前記磁性シート長辺部および両側の前記磁性シート短辺部いずれかが前記シールドシートの両側のシールドシート長辺部および前記シールドシートの両側のシールドシート短辺部のいずれかの辺縁に至り、該辺縁に至っている部分ごとに少なくとも１つの切欠き部を形成したものである
ことを特徴とする非接触ＩＣカード通信調整板。
【請求項４】
外部装置と非接触で通信することができる非接触ＩＣカードを収納したままで使用する非接触ＩＣカード収納具において、
前記非接触ＩＣカードを収納するＩＣカード収納部内に、前記外部装置と前記非接触ＩＣカードとの通信状態を調整するための請求項１から３の何れか一項に記載の非接触ＩＣカード通信調整板を備え、
前記非接触ＩＣカード通信調整板は、前記ＩＣカード収納部に収納した前記非接触ＩＣカードと重なり合うように取り付けたことを特徴とする非接触ＩＣカード収納具。
【発明の詳細な説明】
【技術分野】
【０００１】
本発明は、外部装置が発信する電磁波を利用して外部装置と非接触で通信することができる非接触ＩＣカードに重ね合わせて使用する、外部装置と非接触ＩＣカードとの通信状態を調整するための非接触ＩＣカード通信調整板および非接触ＩＣカードを収納したままで使用することができる非接触ＩＣカード収納具に関する。
【背景技術】
【０００２】
従来の非接触ＩＣカード通信調整板としては、例えば本願出願人が提案した特許文献１および特許文献２に示すようなものがある。  
すなわち、特許文献１は、電磁シールド効果を有する略四辺形の電磁シールド層の片面または両面に該電磁シールド層よりもやや狭い面積を有する高透磁層を積層したものである。そして、高透磁層は、電磁シールド層にほぼ相似の形状を有しており、その周縁外側は電磁シールド層に囲まれるように形成されている。
【０００３】
また、特許文献２は、並行する帯状の磁性シートを有しており、それぞれの磁性シートは、シールドシートを非接触ＩＣカードに重ね合わせた使用状態において該非接触ＩＣカードの両側長端に沿うようにシールドシートの一方の端縁から他方の端縁まで延設したものである。
【０００４】
【特許文献１】特開２００６−３５０７４８号公報
【特許文献２】特許第４０９６０６５号公報
【発明の開示】
【発明が解決しようとする課題】
【０００５】
しかしながら、特許文献１に記載された技術では、電磁シールド層の外周縁部を残してその内側全体に高透磁層が形成されているので、外部装置と非接触ＩＣカードとの通信は良好にすることができるが、高透磁層の占める面積が大きいので高価になるという問題点があった。また、製造過程においては、電磁シールド層の外周縁部を残すために、高透磁層の周縁が電磁シールド層の外周縁に重ならないようにしなければならず、そのための製造技術が必要であるという問題点があった。
【０００６】
一方、特許文献２では、並行する帯状の磁性シートは、シールドシートの一方の端縁から他方の端縁まで延設されているので、長いシールドシートに並行する帯状の磁性シートを積層したものを所定の長さで切断するだけでよく、製造過程が容易であり、また、磁性シートが特許文献１のものよりも少なくて済むので、その分だけコストの低いものとなっている。
【０００７】
しかしながら、近年は、ＩＣカードの多機能化が進み、接触型ＩＣチップと非接触型ＩＣチップとを同一カードに搭載した複合型のＩＣカード（複合型の非接触ＩＣカード）が多くなってきている。このような、複合型のＩＣカードでは、非接触ＩＣカードとしての部品であるアンテナの形状、配置、大きさ等が複合型ではない非接触ＩＣカードに比べると限定されることがある。このため、並行する帯状の磁性シート同士の間にシールドシートが露出した中間領域を有している特許文献２のタイプのものでは、使用状態においてその中間領域に非接触ＩＣカードのアンテナの多くの部分が位置してしまうものも有り得る。
【０００８】
また、非接触ＩＣカードが普及するにしたがって、非接触ＩＣカード通信調整板に様々なデザインを施すことが考えられる。しかしながら、特許文献２のタイプの完成品に印刷などによって絵柄等を施す場合には、磁性シートのある部分の表面と磁性シートのない中間領域の部分の表面とでは段差があるので、平坦面に印刷するよりも難しくなるという問題点が生じる。
【０００９】
本発明は、このような従来の技術が有する問題点に着目してなされたもので、複合型の非接触ＩＣカードに対しても機能が低下する恐れがなく、製造が容易であり、かつ、デザインを施すことも容易である非接触ＩＣカード通信調整板を提供することを目的としている。
【課題を解決するための手段】
【００１０】
かかる目的を達成するための本発明の要旨とするところは、次の各項の発明に存する。［１］  外部装置（４０）が発信する電磁波を利用して前記外部装置（４０）と非接触で通信することができる非接触ＩＣカード（３０）に重ね合わせて使用する、前記外部装置（４０）と前記非接触ＩＣカード（３０）との通信状態を調整するための非接触ＩＣカード通信調整板（１，１Ａ，２，２Ａ）において、
前記外部装置（４０）と前記非接触ＩＣカード（３０）との間の前記電磁波を遮断ないし減衰させる、シールドシート（１０）と、前記シールドシート（１０）の片面または両面に積層され、前記外部装置（４０）と前記非接触ＩＣカード（３０）との間の前記電磁波を透過させる磁性シート（２０，２０Ａ，７０，７０Ａ）と、を備え、
前記シールドシート（１０）は、前記シールドシート（１０）を前記非接触ＩＣカード（３０）に重ね合わせた使用状態において前記非接触ＩＣカード（３０）の両側長辺（３１ａ，３１ａ）に沿うシールドシート長辺部（１０ａ，１０ａ）と前記非接触ＩＣカード（３０）の両側短辺（３１ｂ，３１ｂ）に沿うシールドシート短辺部（１０ｂ，１０ｂ）とを有するものであり、
前記磁性シート（２０，２０Ａ，７０，７０Ａ）は、周縁（２１，７１）が前記シールドシート（１０）のシールドシート長辺部（１０ａ，１０ａ）およびシールドシート短辺部（１０ｂ，１０ｂ）の少なくとも１つの辺部の辺縁に至り、該少なくとも１つの辺部の辺縁に至っている部分に少なくとも１つの切欠き部（２２，２２ａ，７２，７２ａ）を形成したものである
ことを特徴とする非接触ＩＣカード通信調整板（１，１Ａ，２，２Ａ）。
【００１１】
［２］  外部装置（４０）が発信する電磁波を利用して前記外部装置（４０）と非接触で通信することができる非接触ＩＣカード（３０）に重ね合わせて使用する、前記外部装置（４０）と前記非接触ＩＣカード（３０）との通信状態を調整するための非接触ＩＣカード通信調整板（１，１Ａ，２，２Ａ）において、
前記外部装置（４０）と前記非接触ＩＣカード（３０）との間の前記電磁波を遮断ないし減衰させる、シールドシート（１０）と、前記シールドシート（１０）の片面または両面に積層され、前記外部装置（４０）と前記非接触ＩＣカード（３０）との間の前記電磁波を透過させる磁性シート（２０，２０Ａ，７０，７０Ａ）と、を備え、
前記シールドシート（１０）は、前記シールドシート（１０）を前記非接触ＩＣカード（３０）に重ね合わせた使用状態において前記非接触ＩＣカード（３０）の両側長辺（３１ａ，３１ａ）それぞれに沿うシールドシート長辺部（１０ａ，１０ａ）と前記非接触ＩＣカード（３０）の両側短辺（３１ｂ，３１ｂ）それぞれに沿うシールドシート短辺部（１０ｂ，１０ｂ）とを有するものであり、
前記磁性シート（２０，２０Ａ，７０，７０Ａ）は、前記シールドシート（１０）のシールドシート長辺部（１０ａ，１０ａ）それぞれに沿う磁性シート長辺部（２１ａ，２１ａ，７１ａ，７１ａ）および前記シールドシート（１０）のシールドシート短辺部（１０ｂ，１０ｂ）それぞれに沿う磁性シート短辺部（２１ｂ，２１ｂ，７１ｂ，７１ｂ）を有し、前記磁性シート長辺部（２１ａ，２１ａ，７１ａ，７１ａ）および磁性シート短辺部（２１ｂ，２１ｂ，７１ｂ，７１ｂ）の少なくとも１つの辺部が前記シールドシート（１０）の１つの辺部の辺縁に至り、該辺縁に至っている部分に少なくとも１つの切欠き部（２２，２２ａ，７２，７２ａ）を形成したものである
ことを特徴とする非接触ＩＣカード通信調整板（１，１Ａ，２，２Ａ）。
【００１２】
［３］  外部装置（４０）が発信する電磁波を利用して前記外部装置（４０）と非接触で通信することができる非接触ＩＣカード（３０）に重ね合わせて使用する、前記外部装置（４０）と前記非接触ＩＣカード（３０）との通信状態を調整するための非接触ＩＣカード通信調整板（１，１Ａ）において、
前記外部装置（４０）と前記非接触ＩＣカード（３０）との間の前記電磁波を遮断ないし減衰させる、シールドシート（１０）と、前記シールドシート（１０）の片面または両面に積層され、前記外部装置（４０）と前記非接触ＩＣカード（３０）との間の前記電磁波を透過させる磁性シート（２０，２０Ａ）と、を備え、
前記シールドシート（１０）は、前記シールドシート（１０）を前記非接触ＩＣカード（３０）に重ね合わせた使用状態において前記非接触ＩＣカード（３０）の両側長辺（３１ａ，３１ａ）それぞれに沿うシールドシート長辺部（１０ａ，１０ａ）と前記非接触ＩＣカード（３０）の両側短辺（３１ｂ，３１ｂ）それぞれに沿うシールドシート短辺部（１０ｂ，１０ｂ）とを有するものであり、
前記磁性シート（２０，２０Ａ）は、前記シールドシート（１０）のシールドシート長辺部（１０ａ，１０ａ）それぞれに沿う磁性シート長辺部（２１ａ，２１ａ）および前記シールドシート（１０）のシールドシート短辺部（１０ｂ，１０ｂ）それぞれに沿う磁性シート短辺部（２１ｂ，２１ｂ）を有し、両側の前記磁性シート長辺部（２１ａ，２１ａ）および両側の前記磁性シート短辺部（２１ｂ，２１ｂ）いずれかが前記シールドシート（１０）の両側のシールドシート長辺部（１０ａ，１０ａ）および前記シールドシート（１０）の両側のシールドシート短辺部（１０ｂ，１０ｂ）のいずれかの辺縁に至り、該辺縁に至っている部分ごとに少なくとも１つの切欠き部（２２，２２ａ）を形成したものである
ことを特徴とする非接触ＩＣカード通信調整板（１，１Ａ）。
【００１３】
［４］  外部装置（４０）と非接触で通信することができる非接触ＩＣカード（３０）を収納したままで使用する非接触ＩＣカード収納具（５０，６０）において、
前記非接触ＩＣカード（３０）を収納するＩＣカード収納部（５１，６１）内に、前記外部装置（４０）と前記非接触ＩＣカード（３０）との通信状態を調整するための［１］から［３］の何れか一項に記載の非接触ＩＣカード通信調整板（１，１Ａ，２，２Ａ）を備え、
前記非接触ＩＣカード通信調整板（１，１Ａ，２，２Ａ）は、前記ＩＣカード収納部（５１，６１）に収納した前記非接触ＩＣカード（３０）と重なり合うように取り付けたことを特徴とする非接触ＩＣカード収納具（５０，６０）。
【００１４】
前記本発明は次のように作用する。  
非接触ＩＣカード通信調整板（１，１Ａ，２，２Ａ）のシールドシート（１０）は、透過しようとする電磁波を遮断ないし減衰することができる導電性のシートである。また、磁性シート（２０，２０Ａ，７０，７０Ａ）は、電磁波を空気層よりも高密度に透過させることができるものである。
【００１５】
したがって、非接触ＩＣカード（３０）の表裏両面のうち外部装置（４０）に面する側に非接触ＩＣカード通信調整板（１，１Ａ，２，２Ａ）が重ね合わされているような状態にあるときは、非接触ＩＣカード通信調整板（１，１Ａ，２，２Ａ）側の面が磁性シート（２０，２０Ａ，７０，７０Ａ）を備える面であるか否かにかかわらず、シールドシート（１０）が外部装置（４０）からの電磁波を遮断して、非接触ＩＣカード（３０）と外部装置（４０）との通信を防止することができる。
【００１６】
逆に、外部装置（４０）に面する側とは反対側で非接触ＩＣカード通信調整板（１，１Ａ，２，２Ａ）が非接触ＩＣカード（３０）に重ね合わさった状態にあり、すなわち、非接触ＩＣカード（３０）が外部装置（４０）に面するような状態にあり、かつ、その重ね合わさった非接触ＩＣカード通信調整板（１，１Ａ，２，２Ａ）側の面が磁性シート（２０，２０Ａ，７０，７０Ａ）を備えない面であるときは、外部装置（４０）からの電磁波は、非接触ＩＣカード（３０）を透過した後、シールドシート（１０）によって減衰させられるので、この場合にも外部装置（４０）との通信を防止することができる。
【００１７】
これに対して、非接触ＩＣカード通信調整板（１，１Ａ，２，２Ａ）に重ね合わさった非接触ＩＣカード（３０）が外部装置（４０）に面するような状態にあり、かつ、その重ね合わさった非接触ＩＣカード通信調整板（１，１Ａ，２，２Ａ）側の面が磁性シート（２０，２０Ａ，７０，７０Ａ）を備える面であるときは、外部装置（４０）からの電磁波は、非接触ＩＣカード通信調整板（１，１Ａ，２，２Ａ）に遮られずに直接に非接触ＩＣカード（３０）に至る。そして、アンテナコイル（３３）が電磁波を受信すると、磁気誘導により非接触ＩＣカード（３０）内に電流が供給され、これにより、非接触ＩＣカード（３０）が動作して電磁波を発信する。このようにして、非接触ＩＣカード通信調整板（１，１Ａ，２，２Ａ）は、非接触ＩＣカード（３０）と外部装置（４０）との通信を可能にしたり、防止したりすることができる。
【００１８】
非接触ＩＣカード通信調整板（１，１Ａ，２，２Ａ）は、シールドシート（１０）の片面または両面に磁性シート（２０，２０Ａ，７０，７０Ａ）が積層されている。この磁性シート（２０，２０Ａ，７０，７０Ａ）は、その周縁（２１，７１）がシールドシート（１０）のシールドシート長辺部（１０ａ，１０ａ）およびシールドシート短辺部（１０ｂ，１０ｂ）の少なくとも１つの辺部の辺縁にまで至っている。但し、この辺縁に至っている周縁（２１，７１）の部分は、辺縁よりも外側にはみ出してはいない。この少なくとも１つの辺部の辺縁に至っている部分には、少なくとも１つの切欠き部（２２，２２ａ，７２，７２ａ）が形成されている。この切欠き部（２２，２２ａ，７２，７２ａ）の形状および個数は、特定の形状および個数に限定されない。
【００１９】
磁性シートの周縁部全体がシールドシートの周縁に達していると、裏側の非接触ＩＣカードを読み込んでしまうという読取りエラーの起こる可能性が大きくなるが、この読取りエラーを防止するために前記のように磁性シート（２０，２０Ａ，７０，７０Ａ）の周縁（２１，７１）がシールドシート（１０）の辺縁に至っている部分については、少なくとも１つの切欠き部（２２，２２ａ，７２，７２ａ）を形成してある。
【００２０】
シールドシート（１０）がシールドシート（１０）を非接触ＩＣカード（３０）に重ね合わせた使用状態において非接触ＩＣカード（３０）の両側長辺（３１ａ，３１ａ）それぞれに沿うシールドシート長辺部（１０ａ，１０ａ）と非接触ＩＣカード（３０）の両側短辺（３１ｂ，３１ｂ）それぞれに沿うシールドシート短辺部（１０ｂ，１０ｂ）とを有するものであり、磁性シート（２０，２０Ａ，７０，７０Ａ）がシールドシート（１０）のシールドシート長辺部（１０ａ，１０ａ）それぞれに沿う磁性シート長辺部（２１ａ，２１ａ，７１ａ，７１ａ）およびシールドシート（１０）のシールドシート短辺部（１０ｂ，１０ｂ）それぞれに沿う磁性シート短辺部（２１ｂ，２１ｂ，７１ｂ，７１ｂ）を有するものの場合であって、磁性シート長辺部（２１ａ，２１ａ，７１ａ，７１ａ）および磁性シート短辺部（２１ｂ，２１ｂ，７１ｂ，７１ｂ）の少なくとも１つの辺部がシールドシート（１０）の１つの辺部の辺縁に至っているものでは、この辺縁に至っている部分に少なくとも１つの切欠き部（２２，２２ａ，７２，７２ａ）が形成されている。
【００２１】
したがって、磁性シート（７０，７０Ａ）の磁性シート長辺部（７１ａ，７１ａ）がシールドシート長辺部（１０ａ，１０ａ）の辺縁に至り、磁性シート短辺部（７１ｂ，７１ｂ）がシールドシート短辺部（１０ｂ，１０ｂ）の辺縁に至っているものの場合には、磁性シート（７０，７０Ａ）の全ての辺部（７１ａ，７１ａ，７１ｂ，７１ｂ）それぞれに少なくとも１つの切欠き部（７２，７２ａ）が形成されている。
【００２２】
また、磁性シート（２０，２０Ａ）の辺部、例えば磁性シート長辺部（２１ａ，２１ａ）それぞれがシールドシート（１０）のシールドシート長辺部（１０ａ，１０ａ）の辺縁に至っておらず、磁性シート長辺部（２１ａ，２１ａ）の辺縁とシールドシート長辺部（１０ａ，１０ａ）の辺縁との間にシールドシート（１０）の露出部分があるものの場合には、磁性シート長辺部（２１ａ，２１ａ）に切欠き部を形成する必要はない。但し、適宜に切欠き部を設けてもよい。
【００２３】
また、非接触ＩＣカード（３０）を収納するＩＣカード収納部（５１，６３）を有し、該ＩＣカード収納部（５１，６３）に収納した非接触ＩＣカード（３０）と重なり合うように非接触ＩＣカード通信調整板（１，１Ａ，２，２Ａ）を取り付けた非接触ＩＣカード収納具（５０，６０）によれば、非接触ＩＣカード通信調整板（１，１Ａ，２，２Ａ）と非接触ＩＣカード（３０）とが適切な位置関係に重なるので、非接触ＩＣカード通信調整板（１，１Ａ，２，２Ａ）の奏する効果を好適に発揮させることができる。
【発明の効果】
【００２４】
本発明の非接触ＩＣカード通信調整板によれば、シールドシートに対する磁性シートの面積を大きくできるので、アンテナの形状、位置、大きさ等が限定され易い複合型の非接触ＩＣカードであっても外部装置との間の通信を良好にすることができるとともに、磁性シートの周縁の辺部のうちシールドシートの辺部に至っている部分には、少なくとも１つの切欠き部が形成されているので、非接触ＩＣカード通信調整板の裏側に位置する非接触ＩＣカードを読み込んでしまうという読取りエラーを防止することができる。
【００２５】
また、本発明の非接触ＩＣカード通信調整板は、シールドシートに積層する磁性シートが片面につき１枚だけであるので、製造が容易であるとともに周縁部を除いて表面に段差がないので、印刷などによって表面に文字、数字、絵柄等を施すことが容易である。
【００２６】
また、本発明の非接触ＩＣカード通信調整板を備えた非接触ＩＣカード収納具によれば、非接触ＩＣカードをＩＣカード収納部に収納することにより、非接触ＩＣカード通信調整板と非接触ＩＣカードとが適切な位置関係に重なるので、非接触ＩＣカード通信調整板の機能を好適に発揮させることができる。
【発明を実施するための最良の形態】
【００２７】
以下、図面に基づき本発明の好適な各種の実施の形態を説明する。  
図１から図４までは、本発明の第１の実施の形態を示している。  
図１は、本発明の第１の実施の形態に係る非接触ＩＣカード通信調整板を示す平面図であり、図２は、本発明の第１の実施の形態に係る非接触ＩＣカード通信調整板を短辺側から見た側面図であり、図３は、本発明の第１の実施の形態に係る非接触ＩＣカード通信調整板の作用を説明する図である。図４は、本発明の第１の実施の形態に係る非接触ＩＣカード通信調整板の変形例を示す平面図である。さらに、図８は、非接触ＩＣカードを示す斜視図であり、図９は、非接触ＩＣカードの使用状態を示す概略図である。
【００２８】
図８および図９に示すように、非接触ＩＣカード通信調整板１を使用する非接触ＩＣカード３０は、カード型の本体３１にＩＣチップ３２と該ＩＣチップ３２に接続されたアンテナコイル３３とが埋設されたものであり、電磁波を利用して無線で非接触に外部装置４０との間でデータやプログラムの読み書きを行うものである。外部装置４０はカードリーダ・ライタ等である。
【００２９】
外部装置４０側から非接触ＩＣカード３０に誘導電磁波を照射すると、非接触ＩＣカード３０側ではアンテナコイル３３が誘導電磁波を受信して、アンテナコイル３３に誘導起電力が生じる。この誘導起電力が非接触ＩＣカード３０の駆動電力となるとともに誘導電磁波に重畳された電磁波によりＩＣチップ３２に記憶されたデータが読み取られる。
【００３０】
このような非接触ＩＣカード３０に重ね合わせて使用する非接触ＩＣカード通信調整板１は、外部装置４０と非接触ＩＣカード３０との間での通信を防止するために、非接触ＩＣカード３０と外部装置４０との間の電磁波を遮断ないし減衰させる作用を発揮することができるようにしたものである。
【００３１】
図２および図３に示すように、非接触ＩＣカード通信調整板１は、電磁波を遮断ないし減衰させるためのシールドシート１０に電磁波の透過する磁性シート２０を積層したものである。この非接触ＩＣカード通信調整板１は、図９に示すように外部装置４０と非接触ＩＣカード３０との間で行われる非接触の通信状態を調整するために使用するものである。
【００３２】
シールドシート１０は、略四辺形の平面形状に形成されており、その大きさは、非接触ＩＣカード３０と重ね合わせたときに非接触ＩＣカード３０に内蔵されるアンテナコイル３３より大きいものであることが好ましい。これにより、非接触ＩＣカード通信調整板１を非接触ＩＣカード３０に重ね合わせたときに、非接触ＩＣカード通信調整板１の周縁からの電磁波の回り込みを減少させて、外部装置４０と非接触ＩＣカード３０との間の電磁波を確実に遮断ないし減衰させるようにすることができる。
【００３３】
非接触ＩＣカード３０のアンテナコイル３３は、送信と受信を兼用するものであるが、これには限定されず、送信用アンテナと受信用アンテナとを別個に備えていてもよい。送信用と受信用とに別個のアンテナを備えている場合には、いずれか一方のアンテナをシールドシート１０により遮蔽することができれば、非接触ＩＣカード３０と外部装置４０との通信を防止することができる。
【００３４】
このシールドシート１０は、導電性を有することによって電磁シールド効果が得られる素材を用いて形成されている。金属であれば、例えば、金、銀、白金、銅、アルミニウム、鉄、ニッケル等である。また、金属以外の物質としては、例えば導電性セラミックなどを用いることができる。これら金属等は、メッシュ状、ラティス状、箔状、あるいは板状等に形成したものが使用される。
【００３５】
シールドシート１０は、所定の媒体から成る基体（Ｂａｓｅ）に前記のように形成した金属等を貼付等して設けたものであってもよい。基体の素材としては、例えば、シート状のプラスチック、布、紙等を使用することができる。
【００３６】
また、シールドシート１０は、平板状に形成した基体に粉状の金属等を塗布したものであってもよい。また、粉状のプラスチックに金属粉を含有させ、これを層状に成形したものであってもよい。さらに、層状の基体に金属等を貼付したり、縫い込んだりしてシールドシート１０を構成するようにしてもよい。
【００３７】
基体に使用するプラスチックは、例えば、ポリエチレン（ＰＥ）やポリプロピレン（ＰＰ）やポリエチレンテレフタレート（ＰＥＴ）その他の任意の樹脂材料を用いることができる。これら樹脂材料を基体とする場合、シールドシート１０は、基体中に導電性パウダーが混入されたプラスチックフィルム状に形成されたものや表面に金属薄膜が蒸着されたプラスチックフィルム状に形成されたもの、表面に金属箔が貼り付けられたプラスチックフィルム状に形成されたものや表面に導電性樹脂が塗布されたプラスチックフィルム状に形成されたもの、他にも内部に金属線又は金属製の網が埋め込まれたプラスチックフィルム状に形成されたもの等にすることができる。  
以上のようにして形成したシールドシート１０は、透過しようとする電磁波を遮蔽することができる。
【００３８】
このシールドシート１０に積層する磁性シート２０は、非接触により外部装置４０と通信する非接触ＩＣカード３０が当該外部装置４０と通信するのを誘導する役割を果たすものであり、シールドシート１０との組み合わせにより、非接触ＩＣカード３０の通信状態を好適に調整するものである。
【００３９】
図４に示した非接触ＩＣカード通信調整板１Ａは、図１に示した非接触ＩＣカード通信調整板１と切欠き部だけが異なる変形例であるので、以下、双方併せて説明する。  
図１から図４までに示すように、本実施の形態の非接触ＩＣカード通信調整板１，１Ａは、その磁性シート２０，２０Ａに切欠き部２２，２２ａが形成されている。図２においては、シールドシート１０の両面に磁性シート２０，２０Ａが積層されているように示したが、片面だけに積層してもよい。ただし、磁性シート２０，２０Ａを片面だけに積層したものでは、その片面を使用する場合にのみ非接触ＩＣカード通信調整板１，１Ａとしての機能が発揮される。
【００４０】
電磁波を遮断ないし減衰させるシールドシート１０は、略長方形のものであり、４つの角に丸みが付けられている。シールドシート１０は、非接触ＩＣカード通信調整板１，１Ａを非接触ＩＣカード３０に重ね合わせた使用状態において非接触ＩＣカード３０の両側長辺３１ａ，３１ａそれぞれに沿うシールドシート長辺部１０ａ，１０ａと非接触ＩＣカード３０の両側短辺３１ｂ，３１ｂそれぞれに沿うシールドシート短辺部１０ｂ，１０ｂとを有している。
【００４１】
シールドシート１０に積層される磁性シート２０，２０Ａは、周縁２１としてシールドシート１０のシールドシート長辺部１０ａ，１０ａそれぞれに沿う磁性シート長辺部２１ａ，２１ａおよびシールドシート１０のシールドシート短辺部１０ｂ，１０ｂそれぞれに沿う磁性シート短辺部２１ｂ，２１ｂを有している。両側の磁性シート長辺部２１ａ，２１ａはいずれもその辺縁がシールドシート１０の両側のシールドシート長辺部１０ａ，１０ａの辺縁までは至っていない。これら磁性シート長辺部２１ａ，２１ａの辺縁とシールドシート長辺部１０ａ，１０ａの辺縁との間は、シールドシート１０の露出部分となっている。
【００４２】
一方、両側の磁性シート短辺部２１ｂ，２１ｂはいずれもその辺縁がシールドシート１０の両側のシールドシート短辺部１０ｂ，１０ｂの辺縁にまで至っている。これら磁性シート短辺部２１ｂ，２１ｂの辺縁は、シールドシート短辺部１０ｂ，１０ｂの辺縁から外側にはみ出さないように積層されている。
【００４３】
この磁性シート２０，２０Ａの磁性シート短辺部２１ｂ，２１ｂそれぞれの辺縁には、切欠き部２２，２２ａが形成されている。図１に示した磁性シート２０の磁性シート短辺部２１ｂに形成された切欠き部２２は、磁性シート２０の中心に向かって切り欠いた三角形状を有している。また、図４に示した磁性シート２０の磁性シート短辺部２１ｂに形成された切欠き部２２ａは、磁性シート２０Ａの中心側に向かって凹み、磁性シート短辺部２１ｂの延びる方向に延びた四角形状を有している。これら切欠き部２２，２２ａでは、シールドシート１０が露出している。
【００４４】
このように、形成された本実施の形態に係る非接触ＩＣカード通信調整板１，１Ａは、磁性シート長辺部２１ａ，２１ａの辺縁とシールドシート長辺部１０ａ，１０ａの辺縁との間にはシールドシート１０の露出した部分が有り、また、磁性シート短辺部２１ｂ，２１ｂでは、切欠き部２２，２２ａからシールドシート１０が露出している。これにより、シールドシートの全周縁と磁性シートの全周縁とが一致している非接触ＩＣカード通信調整板に比べて、非接触ＩＣカード通信調整板１，１Ａを挟んで外部装置４０に面した面とは反対側にある非接触ＩＣカード３０から外部装置４０がデータを読み取ってしまうという読取りエラーを防止する効果が向上する。したがって、情報を読み取るべき非接触ＩＣカード３０からの情報の読み取りがより安定したものとなる。
【００４５】
また、非接触ＩＣカード通信調整板１，１Ａは、シールドシート１０に磁性シート２０，２０Ａがないために、シールドシート１０の露出した部分があり、その露出部分では表面に段差が生じるが、それ以外の部分は、磁性シート２０，２０Ａが積層されているので段差のない平面となっている。
【００４６】
なお、図１および図２には、磁性シート長辺部２１ａ，２１ａの辺縁とシールドシート長辺部１０ａ，１０ａの辺縁との間にはシールドシート１０の露出した部分が有り、また、磁性シート短辺部２１ｂ，２１ｂの辺縁はシールドシート短辺部１０ｂ，１０ｂの辺縁に至っているとともに切欠き部を有するものを例示したが、磁性シート長辺部２１ａ，２１ａの辺縁がシールドシート長辺部１０ａ，１０ａの辺縁に至るとともに切欠き部を有し、磁性シート短辺部２１ｂ，２１ｂの辺縁がシールドシート短辺部１０ｂ，１０ｂの辺縁に至らずにそれら辺縁同士の間にシールドシート１０が露出するようにしてもよい。
【００４７】
また、磁性シート長辺部２１ａ，２１ａと磁性シート短辺部２１ｂ，２１ｂの４つの辺部のうち何れか１つの辺縁だけがシールドシート１０の辺部の辺縁に至るようにしてもよいし、２〜４つの辺縁がそれぞれシールドシート１０の辺部の辺縁に至るようにしてもよい。この場合、シールドシート１０の辺部の辺縁に至る磁性シートの片部（２１ａ，２１ａ，２１ｂ，２１ｂ）には、必ず切欠き部を形成したものとする。なお、磁性シートの４つの辺部の辺縁が全てシールドシートの４つの辺部の辺縁に至っているものは、本願発明の第２の実施の形態として後述する。
【００４８】
また、切欠き部２２，２２ａは、例示した形状のものに限らず、半円形や半楕円形、多角形、その他、特に形状が制限されることはなく、また、多種類の形状の切欠き部が混在するようにしてもよい。
【００４９】
このように形成される磁性シート２０，２０Ａは、透磁率μに優れた材料が使用される。例えば、使用する電磁波の周波数において、比透磁率は１００以上のものが好ましく、より好ましくは１０００以上のものである。具体的には、パーマロイ、フェライト、センダスト、方向性ケイ素鋼等を使用することができる。これにより、磁性シート２０，２０Ａは、電磁波を空気層よりも高密度に透過させることができる。
【００５０】
磁性シート２０，２０Ａは、プラスチックフィルム等に前記パーマロイ等の材料を蒸着等させたものから切欠き部２２，２２ａを打ち抜くなどして製造することができる。
【００５１】
なお、シールドシート１０に磁性シート２０，２０Ａを積層する方法としては、特に制限はなく、公知の方法を使用することができる。一例として、それぞれ単独で形成されたシールドシート１０と磁性シート２０，２０Ａとを接着剤や粘着剤によって接着する等の手段により、シールドシート１０に磁性シート２０，２０Ａを積層して一体化させる方法がある。
【００５２】
このようにして製造した非接触ＩＣカード通信調整板１，１Ａは、非接触ＩＣカード３０と略同じ大きさであってもよいし、ある程度余裕のある大きさであっても良い。
【００５３】
次に作用を説明する。  
なお、非接触ＩＣカード通信調整板１と非接触ＩＣカード通信調整板１Ａとの説明は共通するので、非接触ＩＣカード通信調整板１を代表として説明する。  
図３は、本実施の形態に係る非接触ＩＣカード通信調整板１の両面に非接触ＩＣカード３０ａ，３０ｂを重ね合わせた使用状態での非接触ＩＣカード通信調整板１の作用を説明する図である。図示した使用状態では、非接触ＩＣカード通信調整板１のシールドシート１０に磁性シート２０が積層された両面にそれぞれ非接触ＩＣカード３０ａ，３０ｂが重ね合わせられている。
【００５４】
図３において、矢印は、非接触ＩＣカード３０ａ，３０ｂの情報を読み取るための電磁波（信号）を示している。また、「○」印は、通信が正常に行われることを示し、「×」印は、通信が正常に行われないことを示す。
【００５５】
図３においてシールドシート１０の左側から非接触ＩＣカード３０ａに向かう電磁波は、非接触ＩＣカード３０ａの裏面側に配置されている磁性シート２０によってシールドシート１０の影響が軽減される。これにより、非接触ＩＣカード３０ａは、外部からの電磁波を問題なく受信することができ、また、非接触ＩＣカード３０ａから電磁波を発信することができる。これは、高透磁率である磁性シート２０中には磁界が集中しやすいため、非接触ＩＣカード３０ａも磁界の中に置かれることによるものである。このため、非接触ＩＣカード３０ａは、外部からの電磁波を受信し、また、電磁波を発信することができる。したがって、シールドシート１０の左側から非接触ＩＣカード３０ａに向かう方向に外部装置４０が電磁波を発信したときには、非接触ＩＣカード３０ａと外部装置４０との間で通信をすることができる。
【００５６】
一方、同じシールドシート１０の左側から非接触ＩＣカード３０ａに向かう電磁波は、非接触ＩＣカード通信調整板１のシールドシート１０によって遮蔽されるので、シールドシート１０の右側に重ね合わせられた非接触ＩＣカード３０ｂに到達することはない。このため、非接触ＩＣカード３０ｂが非接触ＩＣカード通信調整板１を挟んで反対側から来る電磁波を受信してしまうことはなく、外部装置４０と非接触ＩＣカード３０ｂとの間の不所望の通信を防止することができる。
【００５７】
このような作用は、シールドシート１０の右側から非接触ＩＣカード３０ｂに向かう電磁波についても全く同様のことが言える。
【００５８】
一般に、導体（シールドシート１０）の内部には電磁波が存在せず、また、空気と導体との境界面でも境界条件より電磁波が充分に存在しない性質を有する。このため、例えば図３に示すように非接触ＩＣカード３０ｂを読み取るための電磁波が紙面上の右側から発信されても、非接触ＩＣカード３０ｂの裏面に配置されるシールドシート１０のために電磁波が減衰してしまう。これにより、非接触ＩＣカード３０ｂは、非接触ＩＣカード３０ｂに対して電磁波を発信した外部装置４０と通信することができない。
【００５９】
また、非接触ＩＣカード３０ａに対して、紙面上、シールドシート１０の右側から進行して来る電磁波は、非接触ＩＣカード３０ｂに対して、紙面上、シールドシート１０の左側から進行して来る電磁波がシールドシート１０に遮断されてしまうのと同様にシールドシート１０によって遮断されるので、非接触ＩＣカード３０ａに到達することがない。このため、非接触ＩＣカード３０ａによる電磁波の受信は行われず、シールドシート１０の右側にある外部装置４０と非接触ＩＣカード３０ａとの通信は妨げられる。
【００６０】
本実施の形態に係る非接触ＩＣカード通信調整板１によれば、非接触ＩＣカード３０ａ，３０ｂと非接触ＩＣカード通信調整板１との重ね合わせ方および非接触ＩＣカード通信調整板１に重ね合わせた非接触ＩＣカード３０ａ，３０ｂを外部装置４０が発する電磁波が来る方向に対してどのように位置させるかによって、非接触ＩＣカード３０ａ，３０ｂと外部装置４０との通信を好適に調整することができる。
【００６１】
非接触ＩＣカード通信調整板１は、シールドシート長辺部１０ａ，１０ａに沿って磁性シート長辺部２１ａ，２１ａの辺縁との間にシールドシート１０の露出部分が延びている。このシールドシート１０の露出部分が有ることにより、非接触ＩＣカード通信調整板１の表裏両側に非接触ＩＣカード３０を配置した使用状態であっても、外部装置４０が外部装置４０に面する非接触ＩＣカード通信調整板１の表側とは反対の裏側に配置された非接触ＩＣカード３０の情報をシールドシート長辺部１０ａ，１０ａ側から読み込んでしまう読込みエラーがほぼ完全に防止される。
【００６２】
また、長さの短いシールドシート短辺部１０ｂ，１０ｂの辺縁には、磁性シート短辺部２１ｂ，２１ｂの辺縁が至っているが、磁性シート短辺部２１ｂ，２１ｂそれぞれには少なくとも１つの切欠き部２２が形成されており、この切欠き部２２ではシールドシート１０が露出している。このため、切欠き部２２では、外部装置４０が非接触ＩＣカード通信調整板１の裏側に配置された非接触ＩＣカード３０を読み込んでしまう読込みエラーが防止される。これにより、シールドシート短辺部１０ｂ，１０ｂ側からの読取りエラーの可能性が低くなっている。すなわち、切欠き部２２は、読取りエラーの発生防止効果を向上させる機能を発揮している。
【００６３】
このように、本実施の形態に係る非接触ＩＣカード通信調整板１およびその変形例である非接触ＩＣカード通信調整板１Ａは、シールドシート１０の４つの辺部１０ａ，１０ａ，１０ｂ，１０ｂと磁性シート２０，２０Ａの４つの辺部２１ａ，２１ａ，２１ｂ，２１ｂとのいずれの間においてもシールドシート１０の露出部が有るので、読取りエラーの発生を効果的に防止できる一方で、前記露出部分以外には露出部分がなく、磁性シート２０，２０Ａを積層してあるので、アンテナの形状、配置、大きさ等が多種多様になる複合型の非接触ＩＣカードでも、外部装置との通信を良好に行うことができる。
【００６４】
さらに、非接触ＩＣカード通信調整板１，１Ａの周縁にあるシールドシート１０の露出部分以外には非接触ＩＣカード通信調整板１，１Ａに段差がないので、非接触ＩＣカード通信調整板１，１Ａの表面に印刷などによって文字、数字、絵柄等を施すことが容易にできる。
【００６５】
なお、シールドシート１０の両面に積層された磁性シート２０，２０Ａは、同じものであってもよいし、磁性シート２０と変形例の磁性シート２０Ａを片面ずつ積層したものでもよい。さらに、磁性シート２０、変形例の磁性シート２０Ａ、後述する第２の実施の形態に係る非接触ＩＣカード通信調整板２の磁性シート７０、その変形例の非接触ＩＣカード通信調整板２Ａの磁性シート７０Ａ、その他、本願発明の技術範囲に属する非接触ＩＣカード通信調整板の磁性シートなどから異なるものを一組にしてシールドシート１０の片面ずつに積層しても良い。
【００６６】
また、図示した例では、シールドシート１０の４つの辺部１０ａ，１０ａ，１０ｂ，１０ｂのうち、相対する一対の辺部１０ａ，１０ａには該辺部１０ａ，１０ａ全長にわたって露出部分が現れるようにし、残りの相対する一対の辺部１０ｂ，１０ｂは、切欠き部２２，２２ａによって一部に露出部分が現れるようにした。しかし、辺部全長にわたって現れる露出部分と切欠き部によって現れる露出部分とは、それぞれ相対する辺部に現れるものに限られない。すなわち、シールドシート１０の４つの辺部１０ａ，１０ａ，１０ｂ，１０ｂ全てに露出部分が現れ、かつ、それら露出部分のいずれかが辺部全長にわたって現れたものであり、他の露出部分が切欠き部２２，２２ａによって現れたものであればよい。
【００６７】
次に、本発明の第２の実施の形態について説明する。  
図５から図７までは、本発明の第２の実施の形態を示している。  
図５は、本発明の第２の実施の形態に係る非接触ＩＣカード通信調整板を示す平面図であり、図６は、本発明の第２の実施の形態に係る非接触ＩＣカード通信調整板を短辺側から見た側面図であり、図７は、本発明の第２の実施の形態に係る非接触ＩＣカード通信調整板の変形例を示す平面図である。
本実施の形態に係る非接触ＩＣカード通信調整板２，２Ａは、磁性シート７０，７０Ａの周縁７１のうち両側の磁性シート長辺部７１ａ，７１ａの辺縁がそれぞれシールドシート１０のシールドシート長辺部１０ａ，１０ａの辺縁に至り、磁性シート７０，７０Ａの周縁７１のうち両側の磁性シート短辺部７１ｂ，７１ｂの辺縁がそれぞれシールドシート短辺部１０ｂ，１０ｂの辺縁に至っており、磁性シート長辺部７１ａ，７１ａおよび磁性シート短辺部７１ｂ，７１ｂの何れにも切欠き部７２，７２ａが形成されている点が第１の実施の形態に係る非接触ＩＣカード通信調整板１，１Ａと異なっている。
【００６８】
図５の非接触ＩＣカード通信調整板２では、磁性シート長辺部７１ａそれぞれに三角形の切欠き部７２が２つずつ形成されており、磁性シート短辺部７１ｂそれぞれには三角形の切欠き部７２が１つずつ形成されている。また、図７の非接触ＩＣカード通信調整板２Ａでは、磁性シート長辺部７１ａそれぞれに細長い長方形の切欠き部７２ａが３つずつ形成されており、磁性シート短辺部７１ｂそれぞれには細長い長方形の切欠き部７２ａが１つずつ形成されている。
【００６９】
これら切欠き部７２，７２ａは、第１の実施の形態の説明で述べたように、非接触ＩＣカード３０ａからデータ読み取る際に、外部装置４０からの電磁波が非接触ＩＣカード通信調整板２，２Ａを回り込んで非接触ＩＣカード３０ａとは反対側にある非接触ＩＣカード３０ｂのデータを読み取ってしまう読取りエラーを防止する作用効果を発揮する。
【００７０】
図示したように、磁性シート７０，７０Ａには、４つの辺部７１ａ，７１ａ，７１ｂ，７１ｂに形成された切欠き部７２，７２ａ以外にはシールドシート１０の露出する部分がないので、第１の実施の形態に係る非接触ＩＣカード通信調整板１，１Ａと同様に、アンテナの形状、配置、大きさ等が多種多様になる複合型の非接触ＩＣカードでも、外部装置４０との通信を良好に行うことができる。
【００７１】
また、磁性シート７０，７０Ａの周縁７１に形成された切欠き部７２，７２ａによるシールドシート１０の露出部分以外には非接触ＩＣカード通信調整板２，２Ａに段差がないので、非接触ＩＣカード通信調整板２，２Ａの表面に印刷などによって文字、数字、絵柄等を施すことが容易にできる。
【００７２】
また、切欠き部７２，７２ａは、例示した形状のものに限らず、半円形や半楕円形、多角形、その他、特に形状が制限されることはなく、また、多種類の形状の切欠き部が混在するようにしてもよい。また、各辺部７１ａ，７１ｂごとに同一形状の切欠き部にする必要はなく、同一辺部に異なる形状の切欠き部を混在して形成してもよい。また、各辺部に形成する切欠き部７２，７２ａは、各辺部に少なくとも１つは必要であるが、２つ以上有ってもよい。さらに、切欠き部７２，７２ａの大きさも例示したものに限定されるものではない。
【００７３】
なお、上記の第１の実施の形態および第２の実施の形態について説明した磁性シート２０，２０Ａ，７０，７０Ａは、２つの長辺部と２つの短辺部とを有する長方形のものとして図示し、説明したが、長方形に限らず、例えば４つの角部を切り落とした横長の八角形のものでも良いし、陸上のトラックのような輪郭を有する形状、すなわち、同方向に直線状に延びる２つの両側長辺部と、それら両側長辺部の両端側同士を結ぶ曲線状の短辺部とからなる形状のものでもよい。磁性シートをこのようなトラック状のものとした場合には、その両側長辺部のうち少なくともいずれか一方の辺縁がシールドシート１０の長辺部１０ａの辺縁に至るとともに、長辺部１０ａの辺縁に至った方の長辺部に少なくとも１つの切欠き部を有することになる。
【００７４】
また、磁性シート１０は、磁性シート長辺部２１ａおよび磁性シート短辺部２１ｂのうち、その辺縁がシールドシート１０の辺部１０ａ，１０ｂいずれの辺縁にも至っていない辺部は、直線状に限らず曲線から成ってもよいし、直線状部分と曲線状部分とからなってもよい。
【００７５】
次に、本発明の第３の実施の形態について説明する。  
図１０は、本発明の第３の実施の形態に係る非接触ＩＣカード収納具５０を示す斜視図である。  
図示した非接触ＩＣカード収納具５０は、カードケースタイプのものである。この非接触ＩＣカード収納具５０は、非接触ＩＣカード３０を収納したままで非接触ＩＣカード３０と外部装置４０とを非接触で通信することができるようにしたものである。
【００７６】
この非接触ＩＣカード収納具５０は、断面が略矩形状のＩＣカード収納部５１が形成されている。収納部５１には、該内部を２つに仕切るように前記した第１の実施の形態に係る非接触ＩＣカード通信調整板１，１Ａまたは第２の実施の形態に係る非接触ＩＣカード通信調整板２，２Ａが取り付けられている。
【００７７】
非接触ＩＣカード通信調整板１，１Ａまたは非接触ＩＣカード通信調整板２，２Ａ（以下、「非接触ＩＣカード通信調整板１，１Ａまたは非接触ＩＣカード通信調整板２，２Ａ」を「非接触ＩＣカード通信調整板１または２」と記す。）は、ＩＣカード収納部５１から脱落しないように、接着、溶着、縫付け、または取りだし口に滑り防止の凸形状やフタを設けて取り付けられている。
【００７８】
ＩＣカード収納部５１は、非接触ＩＣカード３０を収納したときに、非接触ＩＣカード３０と非接触ＩＣカード通信調整板１または２とが相対的に上下方向ないし左右方向にほとんどずれることなく重なるような大きさおよび形状に形成されている。
【００７９】
非接触ＩＣカード３０は、非接触ＩＣカード通信調整板１または２によって２つの部分に仕切られたＩＣカード収納部５１の何れの部分にも収容することができる。ＩＣカード収納部５１内に取り付けられたものが磁性シート２０，２０Ａ，７０，７０Ａを片面だけに配設した非接触ＩＣカード通信調整板である場合には、２つに仕切られた部分の何れに非接触ＩＣカード３０を収納するかによって非接触ＩＣカード通信調整板の作用効果が異なるので、適宜に半断して非接触ＩＣカード３０を収納すればよい。
【００８０】
なお、ＩＣカード収納部５１内に取り付けられたものが磁性シート２０，２０Ａ，７０，７０Ａを片面だけに積層した非接触ＩＣカード通信調整板である場合には、ＩＣカード収納部５１の内部を２つに仕切るのではなく、非接触ＩＣカード通信調整板をＩＣカード収納部５１の内壁の一部に沿うように取り付けてもよい。
【００８１】
ＩＣカード収納部５１内に取り付けられたものが磁性シート２０，２０Ａ，７０，７０Ａを両面に積層した非接触ＩＣカード通信調整板１，１Ａ，２，２Ａである場合には、２つに仕切られた部分の何れに非接触ＩＣカード３０を収納しても非接触ＩＣカード通信調整板１，１Ａ，２，２Ａの作用効果は同じである。
【００８２】
以上のように構成された非接触ＩＣカード収納具５０は、ＩＣカード収納部５１に非接触ＩＣカード３０を収納したままで非接触ＩＣカード３０と外部装置４０との通信を可能にしたり、防止したりの調整をすることができる。
【００８３】
なお、図示した非接触ＩＣカード収納具５０は、断面が略矩形状のＩＣカード収納部５１を有するものであるが、カード状のベース部材に、空間的な遊びが殆どないポケットを備え、該ポケット内のベース部材側に非接触ＩＣカード通信調整板１，１Ａ，２，２Ａを取り付けて、そのポケットに非接触ＩＣカード３０を差し込むようにしたものでもよい。
【００８４】
図１１は、本発明の第３の実施の形態に係る非接触ＩＣカード収納具の変形例を示す斜視図である。この非接触ＩＣカード収納具６０は財布タイプのものである。以下、この非接触ＩＣカード収納具６０を財布６０と記す。図示した財布６０は、二つ折の財布であり、財布６０を開いたときの見開き面側が示されている。
【００８５】
財布６０は、札入れタイプのものであり、非接触ＩＣカード３０を収納したままで非接触ＩＣカード３０と外部装置４０とを非接触で通信することができるようにしたものである。この財布６０は、各種カードを収納することができるカード収納部６１、紙幣を収納しておくための紙幣収納部６２、および非接触ＩＣカード３０を収納することができるＩＣカード収納部６３が設けられている。
【００８６】
ＩＣカード収納部６３の内部には、非接触ＩＣカード通信調整板１，１Ａ，２，２Ａが縫い付けるなどして固定されている。ＩＣカード収納部６３は、その内部に非接触ＩＣカード３０を収納したときに、非接触ＩＣカード３０と非接触ＩＣカード通信調整板１，１Ａ，２，２Ａとが相対的に上下方向ないし左右方向にほとんどずれることなく重なるような大きさおよび形状に形成されている。
【００８７】
このように構成された財布６０は、矢印で示したように非接触ＩＣカード３０をＩＣカード収納部６３に収納したときに非接触ＩＣカード通信調整板１，１Ａ，２，２Ａが前記の説明のように作用するので、非接触ＩＣカード３０を財布６０から取り出さず、財布６０に収納したままで非接触ＩＣカード３０と外部装置４０との通信を可能にしたり、防止したりの調整をすることができる。
【００８８】
また、非接触ＩＣカード３０を利用する場合、非接触ＩＣカード３０を収納しておくカードケースタイプのものを別個に所持する必要がなく、より利便性にすぐれた財布６０（非接触ＩＣカード収納具６０）となる。
【図面の簡単な説明】
【００８９】
【図１】本発明の第１の実施の形態に係る非接触ＩＣカード通信調整板を示す平面図である。
【図２】本発明の第１の実施の形態に係る非接触ＩＣカード通信調整板の短辺側から見た側面図である。
【図３】本発明の第１の実施の形態に係る非接触ＩＣカード通信調整板の作用を説明する図である
【図４】本発明の第１の実施の形態に係る非接触ＩＣカード通信調整板の変形例を示す平面図である。
【図５】本発明の第２の実施の形態に係る非接触ＩＣカード通信調整板を示す平面図である。
【図６】本発明の第２の実施の形態に係る非接触ＩＣカード通信調整板の短辺側から見た側面図である。
【図７】本発明の第２の実施の形態に係る非接触ＩＣカード通信調整板の変形例を示す平面図である。
【図８】非接触ＩＣカードを示す斜視図である。
【図９】非接触ＩＣカードの使用状態を示す概略図である。
【図１０】本発明の第３の実施の形態に係る非接触ＩＣカード収納具を示す斜視図である。
【図１１】本発明の第３の実施の形態に係る非接触ＩＣカード収納具の変形例を示す斜視図である。
【符号の説明】
【００９０】
１，１Ａ，２，２Ａ…非接触ＩＣカード通信調整板
１０…シールドシート
１０ａ…シールドシート長辺部
１０ｂ…シールドシート短辺部
２０，２０Ａ…磁性シート
２１…周縁
２１ａ…磁性シート長辺部
２１ｂ…磁性シート短辺部
２２，２２ａ…切欠き部
３０…非接触ＩＣカード
３０ａ…非接触ＩＣカード
３０ｂ…非接触ＩＣカード
３１…本体
３１ａ…非接触ＩＣカードの長辺
３１ｂ…非接触ＩＣカードの短辺
３２…ＩＣチップ
３３…アンテナコイル
４０…外部装置
５０…非接触ＩＣカード収納具
５１…ＩＣカード収納部
６０…財布
６１…カード収納部
６２…紙幣収納部
６３…ＩＣカード収納部
７０，７０Ａ…磁性シート
７１…周縁
７１ａ…磁性シート長辺部
７１ｂ…磁性シート短辺部
７２，７２ａ…切欠き部
【図１】
2010123051.tif 000003
【図２】
2010123051.tif 000004
【図３】
2010123051.tif 000005
【図４】
2010123051.tif 000006
【図５】
2010123051.tif 000007
【図６】
2010123051.tif 000008
【図７】
2010123051.tif 000009
【図８】
2010123051.tif 000010
【図９】
2010123051.tif 000011
【図１０】
2010123051.tif 000012
【図１１】
2010123051.tif 000013